【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
閉じられた第１側部と、これに対向する閉じられた第２側部と、内部領域と、外部領域とを有するメンブレインポケットと、第１開口端部と、第２開口端部と、を形成する、渦巻状に巻かれたフォワード浸透用メンブレインと、
前記第１開口端部に対し封止可能に結合された第１端末キャップであって、少なくとも一つの第１入口部と、前記少なくとも一つの第１入口部および前記メンブレインポケットの内部領域と流体連通する内側部分と前記メンブレインポケットの外部領域と流体連通する少なくとも一つの第２入口部を有するマニフォールドと、を備えた第１端末キャップと、
前記第２開口端部に対し封止可能に結合された第２端末キャップであって、少なくとも一つの第１出口部と、前記少なくとも一つの第１出口部および前記メンブレインポケットの内部領域と流体連通する内側部分と前記メンブレインポケットの外部領域と流体連通する少なくとも一つの第２出口部を有するマニフォールドと、を備えた第２端末キャップと、
を備える、ことを特徴とするフォワード浸透用の螺旋状に巻かれたメンブレインモジュール。
【請求項２】
前記少なくとも一つの第１入口部は前記少なくとも一つの第２入口部から流体的に分離している、ことを特徴とする請求項１に記載のモジュール。
【請求項３】
前記少なくとも一つの第１出口部は前記少なくとも一つの第２出口部から流体的に分離している、ことを特徴とする請求項２に記載のモジュール。
【請求項４】
前記少なくとも一つの第１入口部は、前記メンブレインポケットの内部領域に流体的に接続された内腔を有する少なくとも一つのチューブを備えている、ことを特徴とする請求項１に記載のモジュール。
【請求項５】
前記少なくとも一つの第２入口部は、前記少なくとも一つのチューブの外部領域と流体連通している、ことを特徴とする請求項４に記載のモジュール。
【請求項６】
前記螺旋状に巻かれたフォワード浸透用メンブレインの第１及び第２の端末キャップの一方の少なくとも一部分が埋め込まれている、ことを特徴とする請求項１から５の何れか一に記載のモジュール。
【請求項７】
前記少なくとも一つの第１入口部から前記少なくとも一つの第１出口部まで前記メンブレインポケットの内部領域により形成された流体流路に沿って配置された少なくとも一つのスペーサを更に備えている、ことを特徴とする請求項１から６の何れか一に記載のモジュール。
【請求項８】
前記少なくとも一つの第２入口部から前記少なくとも一つの第２出口部まで前記メンブレインポケットの外部領域により形成された流体流路に沿って配置された少なくとも一つのスペーサを更に備えている、ことを特徴とする請求項１から７の何れか一に記載のモジュール。
【請求項９】
前記少なくとも一つのスペーサの厚さが前記メンブレインモジュールの長手方向軸線に沿って変化する、ことを特徴とする請求項７又は８に記載のモジュール。
【請求項１０】
前記螺旋状に巻かれたフォワード浸透用メンブレインと機械的に協働する中央サポートを更に備えている、ことを特徴とする請求項１に記載のモジュール。
【請求項１１】
前記螺旋状に巻かれたフォワード浸透用メンブレインは非対称である、ことを特徴とする請求項１に記載のモジュール。
【請求項１２】
前記メンブレインポケットの外部領域は前記螺旋状に巻かれたフォワード浸透用メンブレインの拒絶層によって形成されている、ことを特徴とする請求項１１に記載のモジュール。
【請求項１３】
前記メンブレインポケットの内部領域は前記螺旋状に巻かれたフォワード浸透用メンブレインの拒絶層によって形成されている、ことを特徴とする請求項１１に記載のモジュール。
【請求項１４】
前記少なくとも一つの第１端末キャップと第２端末キャップは、接着剤を介して前記メンブレインに結合されている、ことを特徴とする請求項１に記載のモジュール。
【請求項１５】
渦巻状に巻かれたフォワード浸透用メンブレインモジュールを受容するように構成されたハウジングと；
前記ハウジングの一端部に配設される分配チャンバであって、前記第１端末キャップの前記少なくとも一つの入口部と流体連通する第１入口部と、前記第１端末キャップの前記少なくとも一つの第２入口部と流体連通する第２入口部と、を備える分配チャンバと；
前記ハウジングの第２の端部に配設される収集チャンバであって、前記第２端末キャップの前記少なくとも一つの第１出口部と流体連通する第１出口部と、前記第２端末キャップの前記少なくとも一つの第２出口部と流体連通する第２出口部と、を備える収集チャンバと、
を更に備えている、ことを特徴とする請求項１に記載のモジュール。
【請求項１６】
閉じられた第１側部と、これに対向する閉じられた第２側部と、内部領域と、外部領域とを有する第２メンブレインポケットと、第１開口端部と、第２開口端部と、を形成する、渦巻状に巻かれた第２のフォワード浸透用メンブレインと；
前記渦巻状に巻かれた第２のフォワード浸透用メンブレインの前記第１開口端部に対し封止可能に結合された第１端末キャップであって、少なくとも一つの第１入口部と、前記少なくとも一つの第１入口部および前記第２メンブレインポケットの内部領域と流体連通する内側部分と前記第２メンブレインポケットの外部領域と流体連通する少なくとも一つの第２入口部を有する外側部分とを有するマニフォールドと、を備えた第１端末キャップと；
前記渦巻状に巻かれた第２のフォワード浸透用メンブレインの前記第２開口端部に対し封止可能に結合された第２端末キャップであって、少なくとも一つの第１出口部と、前記少なくとも一つの第１出口部および前記第２メンブレインポケットの内部領域と流体連通する内側部分と前記第２メンブレインポケットの外部領域と流体連通する少なくとも一つの第２出口部を有するマニフォールドと、を備えた第２端末キャップと、
を更に備えている、ことを特徴とする請求項１に記載のモジュール。
【請求項１７】
渦巻状に巻かれたフォワード浸透用メンブレインモジュールを受容するように構成されたハウジングと；
前記ハウジングの一端部に配設される分配チャンバであって、前記第１端末キャップの前記少なくとも一つの入口部と流体連通する第１入口部と、前記第１端末キャップの前記少なくとも一つの第２入口部と流体連通する第２入口部と、を備える分配チャンバと；
前記ハウジングの第２の端部に配設される収集チャンバであって、前記第２端末キャップの前記少なくとも一つの第１出口部と流体連通する第１出口部と、前記第２端末キャップの前記少なくとも一つの第２出口部と流体連通する第２出口部と、を備える収集チャンバと、
を更に備えている、ことを特徴とする請求項１６に記載のモジュール。
【請求項１８】
閉じられた第１側部と、これに対向する閉じられた第２側部と、内部領域と、外部領域とを有するメンブレインポケットと、第１開口端部と、第２開口端部と、を形成する、渦巻状に巻かれたフォワード浸透用メンブレインと、
前記第１開口端部に対し封止可能に結合された第１端末キャップであって、少なくとも一つの第１入口部と、前記少なくとも一つの第１入口部および前記メンブレインポケットの内部領域と流体連通する内側部分と前記メンブレインポケットの外部領域と流体連通する少なくとも一つの第１入口部を有するマニフォールドと、を備えた第１端末キャップと、
前記第２開口端部に対し封止可能に結合された第２端末キャップであって、少なくとも一つの第２出口部と、前記少なくとも一つの第２出口部および前記メンブレインポケットの内部領域と流体連通する内側部分と前記メンブレインポケットの外部領域と流体連通する少なくとも一つの第２入口部を有するマニフォールドと、を備えた第２端末キャップと、
を備えている、ことを特徴とするフォワード浸透用の螺旋状に巻かれたメンブレインモジュール。
【請求項１９】
渦巻状に巻かれたフォワード浸透用メンブレインモジュールを受容するように構成されたハウジングと；
前記ハウジングの一端部に配設される分配チャンバであって、前記第１端末キャップの前記少なくとも一つの入口部と流体連通する入口部と、前記第１端末キャップの前記少なくとも一つの第１出口部と流体連通する出口部と、を備える分配チャンバと；
前記ハウジングの第２の端部に配設される収集チャンバであって、前記第２端末キャップの前記少なくとも一つの第１入口部と流体連通する入口部と、前記第２端末キャップの前記少なくとも一つの第２出口部と流体連通する出口部と、を備える収集チャンバと、
を更に備えている、ことを特徴とする請求項１に記載のモジュール。
【請求項２０】
前記モジュールは圧力リタード浸透システム内に一体化されている、ことを特徴とする請求項１から１９の何れか一に記載のモジュール。
【請求項２１】
閉じられた第１側部と、これに対向する閉じられた第２側部と、内部領域と、外部領域とを有するメンブレインポケットと、第１開口端部と、第２開口端部と、を形成する、渦巻状に巻かれたフォワード浸透用メンブレインと；
前記第１開口端部に結合された第１端末キャップであって、前記メンブレインポケットの内部領域と流体連通する少なくとも一つの第１入口部と、前記メンブレインポケットの外部領域と流体連通する少なくとも一つの第２入口部と、を備えた第１端末キャップと；
前記第２開口端部に結合された第２端末キャップであって、前記メンブレインポケットの内部領域と流体連通する少なくとも一つの第１出口部と、前記メンブレインポケットの外部領域と流体連通する少なくとも一つの第２出口部と、を備えた第２端末キャップと；を備え、
前記第１端末キャップと前記第２端末キャップとの間に、分離され実質的に平行なモジュールの長手方向軸線に沿った第１及び第２の流体流路を形成するように構成され配置されており、前記少なくとも一つの第１入口部および前記少なくとも一つの第１出口部は前記第１流体流路に対して流体的に接続され、前記少なくとも一つの第２入口部および前記少なくとも一つの第２出口部は前記第２流体流路に対して流体的に接続されている、
ことを特徴とする水処理システム。
【請求項２２】
前記少なくとも一つの第１入口部に流体的に接続された第１溶液源と、前記少なくとも一つの第２入口部に流体的に接続された第２溶液源とを更に備える、ことを特徴とする請求項２１に記載のシステム。
【請求項２３】
前記第１溶液源は塩水の源である、ことを特徴とする請求項２２に記載のシステム。
【請求項２４】
前記第２溶液源は抜き出し側の溶液の源でなる、ことを特徴とする請求項２２に記載のシステム。
【請求項２５】
前記抜き出し側の溶液は、モル比が１対１よりも大きい、アンモニア及び二酸化炭素でなる、ことを特徴とする請求項２４に記載のシステム。
【請求項２６】
前記少なくとも一つの第１入口部での第１溶液の流速および前記少なくとも一つの第２入口部での第２溶液の流速の少なくとも一方を制御するように構成された制御システムを更に備えている、ことを特徴とする請求項２１から２５の何れか一に記載のシステム。
【請求項２７】
前記少なくとも一つの第１及び第２の出口部の一方に流体的に接続された分離システムを更に備えている、ことを特徴とする請求項２１から２６の何れか一に記載のシステム。
【請求項２８】
前記システムは、前記少なくとも一つの第１及び第２の出口部の一方の下流側に流体的に接続されたタービンを更に備える圧力リタード浸透システムである、ことを特徴とする請求項２１から２７の何れか一に記載のシステム。
【請求項２９】
螺旋状に巻かれたフォワード浸透用メンブレインモジュールを設けるステップであって、前記モジュールは、
閉じられた第１側部と、これに対向する閉じられた第２側部と、内部領域と、外部領域とを有するメンブレインポケットと、第１開口端部と、第２開口端部と、を形成する、渦巻状に巻かれたフォワード浸透用メンブレインと、
前記第１開口端部に対し封止可能に結合された第１端末キャップであって、少なくとも一つの第１入口部と、前記少なくとも一つの第１入口部および前記メンブレインポケットの内部領域と流体連通する内側部分と前記メンブレインポケットの外部領域と流体連通する少なくとも一つの第２入口部を有するマニフォールドと、を備えた第１端末キャップと、
前記第２開口端部に対し封止可能に結合された第２端末キャップであって、少なくとも一つの第１出口部と、前記少なくとも一つの第１出口部および前記メンブレインポケットの内部領域と流体連通する内側部分と前記メンブレインポケットの外部領域と流体連通する少なくとも一つの第２出口部を有するマニフォールドと、を備えた第２端末キャップと、を備えている、ステップと、
抜き出し側の溶液の源を前記少なくとも一つの第１入口部に流体的に接続するステップと、
処理されるべき水溶液の源を前記少なくとも一つの第２入口部に流体的に接続するステップと、
を備える、ことを特徴とする淡水化プロセスを促進する方法。
【請求項３０】
抜き出し側の溶液の源を前記少なくとも一つの第１入口部に流体的に接続することは、モル比が１対１よりも大きい、アンモニア及び二酸化炭素でなる抜き出し側の溶液の源を流体的に接続することを含んでいる、ことを特徴とする請求項２９に記載の方法。
【請求項３１】
前記少なくとも一つの第１出口部を蒸留塔に流体的に接続することを更に備える、ことを特徴とする請求項２９に記載の方法。
【請求項３２】
前記蒸留塔の出口部を前記少なくとも一つの第１入口部に流体的に接続することを更に含む、ことを特徴とする請求項３１に記載の方法。